(57)【要約】      （修正有）【課題】プラント機器の監視制御を行うモバイル端末の横／縦向きに対応した視認性を高め、利用し易い画面を端末に表示可能としたプラント機器の監視制御システムを提供する。【解決手段】モバイル端末１０の表示部１８に表示する画面作成要領を出力するサーバ２と、プラント機器５の出力データを蓄積するＤ／Ｂ装置３とコントローラ４を備え、モバイル端末１０自体の横／縦向きに対応して、画面作成要領とＤ／Ｂ装置３のデータとに基づいて作成した表示用の図面を表示部１８に表示する。【選択図】図１
2020135169.tif 000002
【特許請求の範囲】
【請求項１】
プラント施設内の機場に設置されているプラント機器の監視制御システムであって、モバイル端末と、前記モバイル端末の表示部において表示される画面の作成要領を出力するサーバと、前記プラント機器が出力するデータを蓄積するデータベース装置と、前記プラント機器を制御するコントローラとを備え、前記モバイル端末は自体の横向きまたは縦向きに対応して、前記サーバから前記画面の作成要領と前記データベース装置のデータとに基づいて画面を作成するとともに、前記表示部に表示するプラント機器の監視制御システム。
【請求項２】
前記モバイル端末の向きが、前記モバイル端末に設けられた端末方向検知部によって検知されると、前記モバイル端末の画面処理管理部は、前記サーバの画面レイアウト蓄積部から前記検知された向きに対応した画面レイアウトおよび画面処理ソフトウェア蓄積部から画面処理ソフトウェアを呼び出すとともに、前記データベース装置のデータに基づいて画面を作成、前記画面は前記表示部に表示される請求項１に記載のプラント機器の監視制御システム。
【請求項３】
前記モバイル端末に設けられた入出力部からの信号で前記コントローラを介して前記プラント機器が制御される請求項１または請求項２に記載のプラント機器の監視制御システム。
【請求項４】
前記プラント機器は、複数箇所の機場に設けられており、前記モバイル端末は自体の向きを横方向と検知するとともに前記表示部に表示される画面は前記複数箇所の機場を俯瞰する横向きの画面とする請求項１から請求項３のいずれか１項に記載のプラント機器の監視制御システム。
【請求項５】
前記モバイル端末は、回転されることによって自体の向きを縦方向であると検知すると、画面切替部によって前記複数箇所の機場の内の所要の１箇所の機場の画面を切り取るとともに、前記切り取られた画面を前記横向きの画面の倍率に比較して大きい倍率を有する縦画面として前記表示部に表示する請求項４に記載のプラント機器の監視制御システム。
【請求項６】
前記データベース装置のデータに基づいて作成される画面は縦画面であって、前記データベース装置の監視データ蓄積部は、前記蓄積されているデータの中から前記プラント機器の故障を重故障、中故障、軽故障のいずれかと判定、サマリ画面とし、前記画面処理管理部は、前記判定されたデータに対応する前記プラント機器の詳細な故障情報を表示する請求項２に記載のプラント機器の監視制御システム。
【請求項７】
前記詳細な故障情報に代替して、前記判定されたデータに対応する前記プラント機器の画面が表示される請求項６に記載のプラント機器の監視制御システム。
【請求項８】
前記画面レイアウト部には、横向きトレンド画面と縦向きトレンド画面が蓄積されているとともに、前記画面処理ソフトウェア蓄積部にはトレンド画面作成を実行するソフトウェアが蓄積されており、前記モバイル端末は、自体の向きを横方向と検知すると前記画面処理管理部は前記データベース装置のデータに基づいて、前記横向きのトレンド画面を作成するとともに、前記モバイル端末の入出力部からの信号で前記横向きのトレンド画面に示されるトレンド線図の部分を拡大した縦向きの画面を作成、表示する請求項２に記載のプラント機器の監視制御システム。
【請求項９】
前記サーバは、Ｗｅｂサーバとする請求項１から請求項８のいずれか１項に記載のプラント機器の監視制御システム。
【発明の詳細な説明】
【技術分野】
【０００１】
本願は、プラント機器の監視制御システムに関するものである。
【背景技術】
【０００２】
上水道処理プラントは、近年ますます大型化、高度化、複雑化されるとともに、その公共性に鑑み継続してより安定した運転が望まれている。そのため、プラント設備の中央監視制御室における総合的な監視制御に加え、現場の運転技術員によるタブレット、スマートフォンなどのモバイル端末を用いたシステム、機器の直接監視制御も実施されている。
従来の監視システムとして、端末の表示画面の解像度に合わせて、複数の解像度の配信画面を選択する解像度選択手段を備えるサーバと、前記複数の解像度の配信画像を、縦表示と横表示を切り替える際に選択して表示するものが開示されている（例えば特許文献１参照）。
また、コンテンツの表示向きを変える（回転する）ことが可能な携帯型多機能端末の情報表示方法において、表示部が回転した場合でも主コンテンツのレイアウトを維持するとともに、使用者が拡張コンテンツの表示の有無を選択可能とするものが開示されている（例えば特許文献２参照）。
【先行技術文献】
【特許文献】
【０００３】
【特許文献１】特開２０１０−１２４３８１号公報
【特許文献２】特開２０１４−１４９８６０号公報
【発明の概要】
【発明が解決しようとする課題】
【０００４】
しかしながら、上記特許文献１に示された技術は、モバイル端末の縦横の向きに応じて異なる画面内容を表示することはできないものであり、プラント機器のより正確な監視制御には適当なものではない。
また、特許文献２に示された技術は、広告メディアに関するものであり、プラント機器の監視制御に特化されたものでなく、従って技術思想の異なる開示内容をプラント機器の監視制御に適用することには、多くの問題点がある。
【０００５】
本願は、上記のような課題を解決するための技術を開示するものであり、プラント機器の監視制御システムであって、モバイル端末の縦横の向きに応じて監視対象物の表示画面および表示内容を切り替え可能とする監視制御システムを提供することを目的とする。
【課題を解決するための手段】
【０００６】
本願に開示されるプラント機器の監視制御システムは、
プラント施設内の機場に設置されているプラント機器の監視制御システムであって、モバイル端末と、前記モバイル端末の表示部において表示される画面の作成要領を出力するサーバと、前記プラント機器が出力するデータを蓄積するデータベース装置と、前記プラント機器を制御するコントローラとを備え、前記モバイル端末は自体の横向きまたは縦向きに対応して、前記サーバから前記画面の作成要領と前記データベース装置のデータとに基づいて画面を作成するとともに、前記表示部に表示するものである。
【発明の効果】
【０００７】
本願に開示されるプラント機器の監視制御システムは前記の構成を有し、端末の横向き、縦向きの状態に応じて監視対象が画面表示されるので、プラント監視技術員の視認性が高く、利用し易い画面を表示するので、効率的でかつ現場に即したプラントの監視制御が可能となる。
【図面の簡単な説明】
【０００８】
【図１】実施の形態１によるプラント機器の監視制御システムを示すブロック図である。
【図２】実施の形態１による動作を示すフローチャートである。
【図３】実施の形態１による動作を示すフローチャートである。
【図４】実施の形態１による動作を示すフローチャートである。
【図５】実施の形態１による横向きの画面を示す図である。
【図６】実施の形態１による縦向きの画面を示す図である。
【図７】実施の形態２による機場１、機場２の横向きの画面を示す図である。
【図８】実施の形態３によるプラント機器の故障を示す横向きのサマリ画面を示す図である。
【図９】実施の形態３によるプラント機器の故障を示す縦向きのサマリ画面と対応箇所の詳細情報を示す図である。
【図１０】実施の形態３によるプラント機器の故障を示す縦向きのサマリ画面とその対応箇所を示す図である。
【図１１】実施の形態４による横向きのトレンド画面を示す図である。
【図１２】実施の形態４による縦向きの拡大トレンド画面を示す図である。
【発明を実施するための形態】
【０００９】
実施の形態１．
実施の形態１を図に基づいて説明する。図１は上水道処理プラント設備に設けられたＷｅｂブラウザ上でプラント機器の監視および制御を行うモバイル端末が設けられたプラント機器の監視制御システム１００（以下、システム１００と略す）を示すブロック図である。上記システム１００には、タブレット、スマートフォンなどのモバイル端末１０、端末１０にプラント機器５の運転監視データを配信するＷｅｂサーバ２（以下、サーバ２と略す）、プラント機器５から収集した各種のプラント監視データを格納するデータベース装置３（以下、Ｄ／Ｂ装置３と略す）、プラント機器５の運転制御を行うコントローラ４が設けられている。
【００１０】
端末１０には、信号を入出力する入出力部１１、サーバ２から取得する監視対象の画面レイアウトを保持する画面レイアウト保持部１２、同じくサーバ２から取得した監視データを保持する監視データ保持部１３、サーバ２から取得した画面レイアウトへの監視データを割り付けるとともに、画面上の操作による動作設定を行うソフトウェア（以下、Ｓ／Ｗと略す）を保持する画面処理Ｓ／Ｗ保持部１４、端末１０の向きが横向きか、縦向きかを検知し、その検知した向きを出力する端末方向検知部１５、端末１０の表示部１８に表示する画面に応じて、適切な画面レイアウト、監視データ、画面処理Ｓ／Ｗを呼び出し、表示部１８に完成画面を出力する画面処理管理部１６、表示部１８上の表示画面の切り替え信号を出力する画面切替部１７、表示部１８が設けられている。
【００１１】
サーバ２にはＤ／Ｂ装置３から取得する監視データを端末１０に出力する監視データ配信部２１、表示部１８で表示する画面レイアウトを蓄積する画面レイアウト蓄積部２２、監視データを割り付けるとともに、画面上の操作による動作設定を行う画面処理Ｓ／Ｗを蓄積する画面処理Ｓ／Ｗ蓄積部２３が設けられている。
【００１２】
コントローラ４は、端末１０からの信号を入力して、上水道処理プラントに設けられている各種プラント機器５の運転制御を行う。
【００１３】
次に、実施の形態１の動作を図２、図３に示すフローチャートに基づいて説明する。尚、ＳＴとはステップの略である。
ＳＴ１．プラントの監視制御を担当する技術員は、携帯する端末１０を起動させる。
ＳＴ２．端末１０は、サーバ２の画面レイアウト蓄積部２２から画面の作成要領である横／縦向きの双方の画面レイアウトを取得し、画面レイアウト保持部１２に保持する。
ＳＴ３．端末１０は、サーバ２の画面処理Ｓ／Ｗ蓄積部２３から画面の作成要領である横／縦向き双方の画面処理Ｓ／Ｗを取得し、画面処理Ｓ／Ｗ保持部１４に保持する。
ＳＴ４．端末１０の画面処理管理部１６は、サーバ２の監視データ配信部２１を介し、Ｄ／Ｂ装置３の監視データ蓄積部３１からの監視データを取得し、監視データ保持部１３に保持する。
ＳＴ５．端末１０の画面処理管理部１６は、端末方向検知部１５が検知している端末１０の方向を認定する。横向きと認定した場合ＳＴ６に進む。
ＳＴ６．端末１０の画面レイアウト保持部１２から、横向き用の画面レイアウトを呼び出す。
ＳＴ７．監視データ保持部１３から、横向き画面を表示するための監視データを呼び出す。
ＳＴ８．画面処理Ｓ／Ｗ保持部１４から、横向き画面用の画面処理Ｓ／Ｗを呼び出す。
ＳＴ９．画面処理管理部１６は、横向き用の画面処理Ｓ／Ｗをもって横向き用の画面レイアウトに監視データを割り当てる。
ＳＴ１０．端末１０の表示部１８に横向きの画面を表示する。このＳＴ１０にて表示される横向き画面の例を図５に示す。
【００１４】
一方、ＳＴ５で端末１０が縦方向と認定した場合は、図４に示す以下のフローとなる。
ＳＴ６Ａ．端末１０の画面レイアウト保持部１２から、縦向き用の画面レイアウトを呼び出す。
ＳＴ７Ａ．監視データ保持部１３から、縦向き画面を表示するための監視データを呼び出す。
ＳＴ８Ａ．画面処理Ｓ／Ｗ保持部１４から、縦向き画面用の画面処理Ｓ／Ｗを呼び出す。
ＳＴ９Ａ．画面処理管理部１６は、縦向き用の画面処理Ｓ／Ｗをもって縦向き用の画面レイアウトに監視データを割り当てる。
ＳＴ１０Ａ．端末１０の表示部１８に縦向きの画面を表示する。このＳＴ１０Ａにて表示される縦向き画面の例を図６に示す。
【００１５】
上記ＳＴ１０で表示される横向き画面例の図５およびＳＴ１０Ａでの縦向き画面例の図６は、上水道処理プラント施設の機場Ａにおいて、プラント機器５に相当する水位計３５を備えた貯水池３４につながる配管３３、３３Ａ、３３Ｂ、３３Ｃ、３３Ｄに設置された送水用のポンプ３０Ａ、３０Ｂ、３０Ｃ、３０Ｄ、調整用のバルブ３１Ａ、３１Ｂ、３１Ｃ、３１Ｄ、流量計３２Ａ、３２Ｂ、３２Ｃ、３２Ｄの配置系統図であり、また、監視データはその時点におけるバルブ３１Ａ〜３１Ｄの開度と流量計３２Ａ〜３２Ｄの流量を示すものであり、このデータは上記ＳＴ４で取得したものである。尚、データは流量としたが、水位、ポンプモータの電流電圧等であってもよい。
【００１６】
端末１０の方向の認定を行うＳＴ５以降の各ＳＴにおいて、何らかの理由で端末１０の方向が回転した場合、すなわち例えば横方向から縦方向に変わった場合には、ＳＴ５に戻り再動作を行う。
【００１７】
プラント監視技術員は、上記ＳＴ１０またはＳＴ１０Ａで得た画面表示と監視データを基にして、プラント機器５に設けられている電磁弁、空気弁などを備えたバルブ３１Ａ〜３１Ｄについて、開度調整が必要な場合、図１に示す端末１０の入出力部１１の出力でコントローラ４を介して調整対象のバルブ例えば３１Ｃの開度を８０％に上昇させて、適切なプラント運転を行う。
【００１８】
このような実施の形態１による端末１０を用いたプラント機器５の監視制御システムは、プラント監視技術員が携帯する端末１０に、その時点における端末１０の向きに特化した画面レイアウトと画面処理Ｓ／Ｗとを備え、画面処理管理部６で画面と監視データとを表示部１８に表示するので、技術員にとって端末１０の横縦の向きに応じた視認性が高く、監視制御の利便性が向上し、かつ端末１０においてプラントの監視、制御が可能であり、現場に即した効率的なプラント運転が行えるという効果がある。尚、この実施の形態１ではＷｅｂサーバ２を用いたが、これに限定されることはない。また、上水道処理プラントの例としたが、下水道処理プラント等の大型プラントの例であってもよい。
【００１９】
なお、以上に説明したＳＴ１〜ＳＴ１０（ＳＴ１０Ａ）の内、ＳＴ１〜ＳＴ４が一度実行され、画面の作成要領および監視データが端末１０に保持されている場合では、ＳＴ１〜ＳＴ４をスキップして、ＳＴ５（ＳＴ５Ａ）からＳＴを開始してもよい。
【００２０】
実施の形態２．
次に、実施の形態２を説明する。上水道処理プラントにおいて、近接する機場に類似の機器類が配置されるケースがある。これらの近接、類似機器が一画面で表示されると、運転、制御の利便性が向上するが、一方、端末１０の限られた表示画面上では視認性が低下する場合がある。
この実施の形態２では、以上の点を改善したものである。図７は近接し類似のプラント機器５が配置された機場Ａ、機場Ｂの全体を俯瞰可能な、第１の倍率を有する横向きの画面がサーバ２の画面レイアウト蓄積部２２に蓄積されているとともに、前記第１の倍率よりも大きい第２の倍率を有する機場毎の縦向きの画面が画面レイアウト蓄積部２２に蓄積されている。横向きの端末１０に合わせて前述した実施の形態１と同様の動作の結果、図７に示すような機場Ａ、機場Ｂの画面と監視データが表示部１８に表示される。この図７では機場Ａ、機場Ｂの全体俯瞰が可能であるが、ここで機場Ａの視認性を高める必要がある場合、技術員が端末１０を縦向きに回転させると、自体の向きを縦方向であると検知すると画面切替部１７の出力により所要の横向きの画面が切り取られてその画面の大きさが第１の倍率よりも大きい第２の倍率を有した前述の図６に示したものと同様の機場Ａの縦画面が表示部１８に表示される。尚、機場Ｂには、機場Ａと類似の配管３３ａ、３３ｂ、３３ｃ、３３ｄ、３３ｅ、３３ｆ、３３ｇ、ポンプ３０ａ、３０ｂ、３０ｃ、バルブ３１ａ、３１ｂ、３１ｃ、３１ｄ、３１ｅ、流量計３２ａ、３２ｂ、３２ｃ、３２ｄ、３２ｅが設けられている。
【００２１】
このように、実施の形態２では端末１０が横向きの場合は俯瞰する第１の倍率の画面が、縦向きにするとともに画面切替部１７の出力で横向きの画面が切り取られて、第１の倍率よりも大きい第２の倍率を有して視認性を向上させた縦画面が表示されるので、誤認に伴うプラント機器５の誤制御が防止され、より安定したプラントの監視制御が可能となる。尚、機場をＡ、Ｂの２箇所の機場としたが、３箇所以上であってもよい。
【００２２】
実施の形態３．
次に、実施の形態３の第１の実施例を説明する。プラント設備は運転中に何らかの原因により、機器の使用定格を超えて、あるいは定格を下回って運転される場合がある。この実施の形態３では図５で示した配管３３Ａの系統においてポンプ３０Ａ、バルブ３１Ａまたはポンプ駆動用電源変動などにより、流量計３２Ａが定格流量値５０Ｍ３／ＭＩＮを超えることで警報を発生した場合について述べる。プラント設備としては、警報発生時に直ちに運転休止を行う重故障、当面運転を継続して様子を見る軽故障および中故障を経験則として有している。ここで検出した流量値は図９で詳述するように流量計測値は５３Ｍ３／ＭＩＮで警報発生の上限値５０Ｍ３／ＭＩＮを超過し、結果として図示省略した警報器によりアラームが発生しているが、その上限値５０Ｍ３／ＭＩＮは許容設計値と比較して例えば１０％程度低めに設定されているとともに、下限値はプラント全体としてユーザへの許容供給限度値などによって設定される。
このような値はプラント設計時のノウハウから設定されているものであり、各種監視データ蓄積部３１には各種監視データに前記ノウハウを反映したものが蓄積されている。
【００２３】
図８、図９に示す例では、３／６（土）１３：３０：２０〜３／１０（水）１６：２２：１０の期間内に５件の警報が発生したが、監視データ蓄積部３１は前記計測した流量値が過去の実績に基づくノウハウにより、軽故障または中故障と判定したものであり、画面処理管理部１６で表示するサマリ画面が作成されている。
【００２４】
以下、実施の形態３の第１の実施例に係る動作を述べる。サーバ２の画面レイアウト蓄積部２２には、故障情報を一覧表示する横向きのサマリ画面と、縦向きのサマリ画面とが蓄積されている。ここでは図８の横向き用のサマリ画面１８Ａではリスト形式で一覧表示の内容であり、図９の縦向き用のサマリ画面では上記横向きのリスト形式で表示する故障に対応した内容を示す詳細警報情報１８Ｂが並んで表示されるレイアウトである。また、横／縦向き用のサマリ画面の各種処理を実行する画面処理Ｓ／Ｗを画面処理Ｓ／Ｗ保持部１４に蓄積し、実施の形態１の動作処理と同様にして、端末１０は端末１０の向きに合わせて対応する画面レイアウト、監視データ、画面処理Ｓ／Ｗを呼び出し、画面処理管理部１６で画面を作成、表示部１８にて表示する。
【００２５】
図８、図９においてリスト形式のエリア１８Ａの最上段の１では３／１０（水）１６：２２：１０の警報発生をアイコン１９によって表示されており、機場Ａにおける機器（流量計３２Ａ）の指示する故障程度が軽と表示されている。以下、２〜５の警報発生のサマリがアイコン１９によって表示可能である。
【００２６】
このように、実施の形態３の第１の実施例では、図８、図９に示す如く故障に伴う警報発生状況を把握可能であり、図９では端末１０が縦向きの場合にはアイコン１９で選択した詳細な情報を詳細警報情報１８Ｂとして同一画面で確認することが可能で、故障内容を迅速にかつ状況把握がより詳細に判明し、原因調査が容易となる。
【００２７】
次に、実施の形態３の第２の実施例を図１０に示す。この第２の実施例では、前述した第１の実施例の図９に示した詳細警報情報１８Ｂに代替して、図１０に示すような一覧形式で警報表示するエリア１８Ａで、アイコン１９で示されて選択された一件の警報に関連する配管系統画面１８Ｃを表示したものである。このような表示は、前述した第１の実施例と同様に、画面処理管理部１６が端末１０の向きに合わせて画面レイアウト保持部１２から画面レイアウトを、監視データ保持部１３から監視データを、画面処理Ｓ／Ｗ保持部１４から画面処理Ｓ／Ｗを呼び出して、画面を作成、表示するものである。
このように、第２の実施例では、アイコン１９によって選択された一件の警報に関係する配管系統画面１８Ｃを一覧形式表示のエリア１８Ａと同一画面で確認することができ、より迅速な故障対策、機器への対応運転制御が可能となる。
【００２８】
実施の形態４．
次に、実施の形態４を説明する。この実施の形態４は、プラント機器５が出力する監視データ値の時間推移をトレンド画面として表示部１８に表示するものである。画面レイアウト蓄積部２２には、横向きトレンド画面と縦向きトレンド画面が蓄積されている。横向きトレンド画面で表示される時間軸は、縦向きトレンド画面の時間軸より長いものである。画面処理Ｓ／Ｗ蓄積部２３には、横／縦向きのトレンド画面の処理を実施する画面処理Ｓ／Ｗが蓄積されている。
【００２９】
技術員が監視データのトレンドを精査する際、端末１０を起動させると、実施の形態１と同様の動作で、画面処理管理部１６は端末１０の向きに合わせて対応する画面レイアウト、監視データ、画面処理Ｓ／Ｗを呼び出し、まず図１１に示すような横向きのトレンド画面を作成する。図１１は、図５で示した流量計３２Ａ〜３２Ｄが出力する流量データが時間毎に変化を例としたトレンド画面であり、５月１５日の８時３０分から９時までの各流量計の出力する流量データを示す。この図１１に示す画面を監視する技術員の入出力部１１を介する入力および前述した縦向き画面表示の動作によって、より詳しい監視対象期間の時間８時５２分から９時までのトレンド画面に示されるトレンド線図が画面処理管理部１６によって図１２に示すような拡大化された縦向きの画面として表示される。
【００３０】
このように、この実施の形態４では、横向きの画面を示す図１１では長期間の流量トレンドを確認可能であり、この長期間の内においてより詳細な監視対象期間である短期間の流量トレンドが図１２の縦向き画面によって確認可能となり、これらの図１１、図２に示す画面を監視することで安定したプラント運転を行うことができる。
【００３１】
尚、前述した図８〜図１０のサマリ画面は、最下段に旧い事案を、最近のものを最上段とした表示としたが、これに限らず、監視技術員が適宜ランダムな順、故障の程度順など配置順を入れ替える機能を備えてもよい。
【００３２】
本願は、様々な例示的な実施の形態及び実施例が記載されているが、１つ、または複数の実施の形態に記載された様々な特徴、態様、及び機能は特定の実施の形態の適用に限られるのではなく、単独で、または様々な組み合わせで実施の形態に適用可能である。
従って、例示されていない無数の変形例が、本願に開示される技術の範囲内において想定される。例えば、少なくとも１つの構成要素を変形する場合、追加する場合または省略する場合、さらには、少なくとも１つの構成要素を抽出し、他の実施の形態の構成要素と組み合わせる場合が含まれるものとする。
【符号の説明】
【００３３】
２  Ｗｅｂサーバ、３  Ｄ／Ｂ装置、４  コントローラ、５  プラント機器、
１１  入出力部、１０  モバイル端末、１２  画面レイアウト保持部、
１３  監視データ保持部、１４  画面処理Ｓ／Ｗ保持部、１５  端末方向検知部、
１６  画面処理管理部、２１  監視データ配信部、２２  画面レイアウト蓄積部、
２３  画面処理Ｓ／Ｗ蓄積部、３１  監視データ蓄積部、
１００  プラント機器の監視制御システム。
【図１】
2020135169.tif 000003
【図２】
2020135169.tif 000004
【図３】
2020135169.tif 000005
【図４】
2020135169.tif 000006
【図５】
2020135169.tif 000007
【図６】
2020135169.tif 000008
【図７】
2020135169.tif 000009
【図８】
2020135169.tif 000010
【図９】
2020135169.tif 000011
【図１０】
2020135169.tif 000012
【図１１】
2020135169.tif 000013
【図１２】
2020135169.tif 000014